(57)【特許請求の範囲】
【請求項１】
サーバーコンピュータと複数のクライアントコンピュータとを電子通信回線網を介して接続するとともに、クライアントコンピュータからサーバーコンピュータに送信されたメッセージデータやそのメッセージデータに関連付けたコメントデータを複数のクライアントコンピュータで共有可能に構成したウェブログシステムにおいて、
前記サーバーコンピュータは、
送信元となるクライアントコンピュータに前記メッセージデータを送信する送信先のクライアントコンピュータを選択させる送信先選択ステップと、
前記送信先選択ステップで選択された送信先のクライアントコンピュータに対して前記メッセージデータを送信する選択送信ステップと、
各クライアントコンピュータに対して、各クライアントコンピュータから送信されたメッセージデータとそのメッセージデータに関連付けたコメントデータとを表示する送信側表示領域と、各クライアントコンピュータに対して送信されたメッセージデータとそのメッセージデータに関連付けたコメントデータとを表示する受信側表示領域とに区画して表示させる区画表示ステップを有し、
送信側表示領域には、メッセージデータを入力するためのメッセージ入力領域を形成し、一方、受信側表示領域には、コメントデータを入力するためのコメント入力領域を形成したことを特徴とするウェブログシステム。
【発明の詳細な説明】
【技術分野】
【０００１】
本発明は、サーバーコンピュータと複数のクライアントコンピュータとを電子通信回線網を介して接続するとともに、クライアントコンピュータからサーバーコンピュータに送信されたメッセージデータやそのメッセージデータに関連付けたコメントデータを複数のクライアントコンピュータで共有可能に構成したウェブログシステムに関するものである。
【背景技術】
【０００２】
従来より、インターネットに代表される電子通信回線網の発達により、所在場所を問わず広く多数の者同士で情報の伝達が行われている。
【０００３】
この電子通信回線網を用いた情報伝達手段としては、情報発信者が開設したホームページによるものが行われてきているが、このホームページを利用した情報伝達手段では、情報の発信を中心としたものであり、発信した情報に対する反応をホームページを用いて直接的に得ることはできなかった。
【０００４】
そのため、近年では、発信した情報に対する反応を得られるようにした情報伝達手段として、いわゆる「ブログ」と呼ばれるウェブログシステムが注目されてきている。
【０００５】
このウェブログシステムは、サーバーコンピュータと複数のクライアントコンピュータとを電子通信回線網を介して接続するとともに、クライアントコンピュータからサーバーコンピュータに送信されたメッセージデータやそのメッセージデータに関連付けたコメントデータを複数のクライアントコンピュータで共有可能に構成していた（たとえば、特許文献１参照。）。
【０００６】
そして、従来のウェブログシステムでは、情報発信者がメッセージデータを発信し、これに対して情報受信者が発信された情報に対する反応をコメントデータとして送信するようにしていた。
【特許文献１】特開２００５−３３９３８５号公報
【発明の開示】
【発明が解決しようとする課題】
【０００７】
ところが、上記従来のウェブログシステムでは、情報発信者から不特定又は特定の多くの者に向けて一斉に情報が発信されることになり、情報発信者も情報を得た多くの者の全ての者から情報に対する反応を得ることは期待しておらず、不特定の誰かから情報に対する反応が得られればよく、一方、情報を得た者にも、その情報に対する反応を情報発信者に対して必ず送信しなければならないといった認識を持たせることができなかった。
【０００８】
このように、従来のウェブログシステムは、情報発信手段としてだけでなく、発信した情報に対する反応を得られる情報伝達手段として期待されるものの、情報発信者が特定の者から情報に対する反応を得ることができるコミュニケーション手段としての機能を有していなかった。
【課題を解決するための手段】
【０００９】
そこで、請求項１に係る本発明では、サーバーコンピュータと複数のクライアントコンピュータとを電子通信回線網を介して接続するとともに、クライアントコンピュータからサーバーコンピュータに送信されたメッセージデータやそのメッセージデータに関連付けたコメントデータを複数のクライアントコンピュータで共有可能に構成したウェブログシステムにおいて、前記サーバーコンピュータは、送信元となるクライアントコンピュータに前記メッセージデータを送信する送信先のクライアントコンピュータを選択させる送信先選択ステップと、前記送信先選択ステップで選択された送信先のクライアントコンピュータに対して前記メッセージデータを送信する選択送信ステップとを有することにした。
【００１０】
しかも、請求項１に係る本発明では、前記サーバーコンピュータは、各クライアントコンピュータに対して、各クライアントコンピュータから送信されたメッセージデータとそのメッセージデータに関連付けたコメントデータとを表示する送信側表示領域と、各クライアントコンピュータに対して送信されたメッセージデータとそのメッセージデータに関連付けたコメントデータとを表示する受信側表示領域とに区画して表示させる区画表示ステップを有し、送信側表示領域には、メッセージデータを入力するためのメッセージ入力領域を形成し、一方、受信側表示領域には、コメントデータを入力するためのコメント入力領域を形成することにした。
【発明の効果】
【００１１】
そして、本発明では、以下に記載する効果を奏する。
【００１２】
すなわち、請求項１に係る本発明では、サーバーコンピュータと複数のクライアントコンピュータとを電子通信回線網を介して接続するとともに、クライアントコンピュータからサーバーコンピュータに送信されたメッセージデータやそのメッセージデータに関連付けたコメントデータを複数のクライアントコンピュータで共有可能に構成したウェブログシステムにおいて、サーバーコンピュータは、送信元となるクライアントコンピュータにメッセージデータを送信する送信先のクライアントコンピュータを選択させる送信先選択ステップと、送信先選択ステップで選択された送信先のクライアントコンピュータに対してメッセージデータを送信する選択送信ステップとを有しているために、送信者が選択した特定の者（送信先）に対してメッセージデータを送信することができるので、送信者から見れば、送信先からメッセージデータに関連付けたコメントデータを受け取ることができるといった期待感を増大させることができ、受信者から見れば、送信されたメッセージデータに対してコメントデータを送信する必要性を強く認識させることができ、送信者と受信者との間でのコミュニケーションを円滑に行わせることができ、従来のウェブログシステムが持つ情報伝達手段としての機能に加えてコミュニケーション手段としての機能を付加することができる。
【００１３】
また、請求項１に係る本発明では、サーバーコンピュータは、各クライアントコンピュータに対して、各クライアントコンピュータから送信されたメッセージデータとそのメッセージデータに関連付けたコメントデータとを表示する送信側表示領域と、各クライアントコンピュータに対して送信されたメッセージデータとそのメッセージデータに関連付けたコメントデータとを表示する受信側表示領域とに区画して表示させる区画表示ステップを有しているために、送信者としてのメッセージデータやコメントデータの表示と、受信者としてのメッセージデータやコメントデータの表示とを目視により容易に区別整理され、コミュニケーション手段としての機能を付加したウェブログシステムの使い勝手を向上させることができる。
【発明を実施するための最良の形態】
【００１４】
以下に、本発明に係るウェブログシステムの具体的な構成や動作を図面を参照しながら説明する。
【００１５】
本発明に係るウェブログシステムは、図１に示すように、サーバーコンピュータ１と複数のクライアントコンピュータ2,3,4とを電子通信回線網５を介して接続するとともに、サーバーコンピュータ１をウェブログサーバープログラムで制御し、クライアントコンピュータ2,3,4をブラウザープログラムで制御して、クライアントコンピュータ2,3,4からサーバーコンピュータ１に送信されたメッセージデータやそのメッセージデータに関連付けたコメントデータを複数のクライアントコンピュータ2,3,4で共有可能に構成したものである。
【００１６】
そして、サーバーコンピュータ１は、図２に示すように、クライアントコンピュータ２からのアクセスを受けると、そのクライアントコンピュータ２に対して、そのクライアントコンピュータ２から他のクライアントコンピュータ3,4に向けて送信されたメッセージデータとそのメッセージデータに関連付けたコメントデータとを表示する送信側表示領域６の表示データと、そのクライアントコンピュータ２に対して他のクライアントコンピュータ3,4から送信されたメッセージデータとそのメッセージデータに関連付けたコメントデータとを表示する受信側表示領域７の表示データとを転送し、これらの送信側表示領域６と受信側表示領域７とをクライアントコンピュータ２のモニタ８上に表示させる（図３参照。）。
【００１７】
ここで、図３に示すように、送信側表示領域６には、メッセージ入力領域９が形成されており、このメッセージ入力領域９でメッセージを入力することができ、また、メッセージ入力領域９に形成された送信先選択ボタン10を操作することで、予め登録しておいた複数の送信先の全員又は特定の者を選択することができ、さらに、メッセージ入力領域９に形成された送信ボタン11を操作することで、メッセージ入力領域９で入力されたメッセージを送信先選択ボタン10の操作により選択された送信先に向けて送信することができるようになっている。なお、メッセージとともに、ファイルを添付して送信することもできる。
【００１８】
一方、受信側表示領域７には、コメント入力領域12が形成されており、このコメント入力領域12でメッセージに関連付けたコメントを入力することができ、また、コメント入力領域12に形成された送信ボタン13を操作することで、コメント入力領域12で入力されたコメントをメッセージの送信元に向けて送信することができるようになっている。なお、コメントとともに、ファイルを添付して送信することもできる。
【００１９】
たとえば、図２に示すように、クライアントコンピュータ２において、メッセージ入力領域９でメッセージＭ１が入力され、送信先選択ボタン10の操作でクライアントコンピュータ４だけが選択され、送信ボタン11が操作されると、クライアントコンピュータ２からサーバーコンピュータ１にメッセージＭ１や送信元や送信先を示すメッセージデータが転送され、これを受けて、サーバーコンピュータ１は、メッセージデータを記憶媒体に記憶する。なお、送信先としては、特定のクライアントコンピュータ４だけを選択する場合に限られず、複数のクライアントコンピュータ2,4を選択することもでき、また、全てのクライアントコンピュータ2,4を選択することもできる。
【００２０】
これにより、クライアントコンピュータ２においては、図４に示すように、送信側表示領域６に自らがクライアントコンピュータ４に向けて送信したメッセージＭ１が送信先とともに表示される。
【００２１】
このときに、サーバーコンピュータ１は、図２に示すように、クライアントコンピュータ３からのアクセスを受けると、そのクライアントコンピュータ３に対して、送信側表示領域６及び受信側表示領域７の表示データを転送し、クライアントコンピュータ３のモニタ８上に表示させるが、先程のメッセージＭ１がクライアントコンピュータ２からクライアントコンピュータ４に向けて送信されたものであるため、クライアントコンピュータ３のモニタ８上にはメッセージＭ１は表示されない（図３参照。）。
【００２２】
これに対して、サーバーコンピュータ１は、図２に示すように、クライアントコンピュータ４からのアクセスを受けると、そのクライアントコンピュータ４に対して、送信側表示領域６及び受信側表示領域７の表示データを転送し、クライアントコンピュータ４のモニタ８上に表示させ、この場合には、先程のメッセージＭ１がクライアントコンピュータ２からクライアントコンピュータ４に向けて送信されたものであるため、図５に示すように、クライアントコンピュータ４のモニタ８上の受信側表示領域７にメッセージＭ１が送信元及び送信先とともに表示される。
【００２３】
そして、図２に示すように、クライアントコンピュータ４において、コメント入力領域12でメッセージＭ１に対するコメントＣ１が入力され、送信ボタン13が操作されると、クライアントコンピュータ４からサーバーコンピュータ１にコメントＣ１や送信元や送信先を示すコメントデータが転送され、これを受けて、サーバーコンピュータ１は、コメントデータを記憶媒体に記憶する。
【００２４】
これにより、クライアントコンピュータ４においては、図６に示すように、受信側表示領域７に自らがメッセージＭ１に対してクライアントコンピュータ２に向けて送信したコメントＣ１が関連するメッセージＭ１の真下に表示される。
【００２５】
このときに、サーバーコンピュータ１は、図２に示すように、クライアントコンピュータ２からのアクセスを受けると、そのクライアントコンピュータ２に対して、送信側表示領域６及び受信側表示領域７の表示データを転送し、クライアントコンピュータ２のモニタ８上に表示させ、この場合には、先程のコメントＣ１がクライアントコンピュータ４からクライアントコンピュータ２に向けて送信されたものであるため、図７に示すように、クライアントコンピュータ２のモニタ８上の送信側表示領域６にコメントＣ１が関連するメッセージＭ１の真下に表示される。
【００２６】
これに対して、サーバーコンピュータ１は、図２に示すように、クライアントコンピュータ３からのアクセスを受けると、そのクライアントコンピュータ３に対して、送信側表示領域６及び受信側表示領域７の表示データを転送し、クライアントコンピュータ３のモニタ８上に表示させるが、先程のコメントＣ１がクライアントコンピュータ４からクライアントコンピュータ２に向けて送信されたものであるため、クライアントコンピュータ３のモニタ８上にはコメントＣ１は表示されない（図３参照。）。
【００２７】
以上のようなメッセージとコメントのやり取りを繰り返すことで、サーバーコンピュータ１の記憶媒体には、メッセージデータとコメントデータとが蓄積され、クライアントコンピュータ2,3,4の要求により、図８に示すように、そのクライアントコンピュータ2,3,4に属するメッセージデータとコメントデータとを送信側表示領域６と受信側表示領域７とに区画してクライアントコンピュータ2,3,4のモニタ８上に表示させる。
【００２８】
そして、上記ウェブログシステムにおいてサーバーコンピュータ１は、メッセージ入力領域９に形成した送信先選択ボタン10の操作によって送信先を選択できるようにすることによって、送信元となるクライアントコンピュータ2,3,4（図２では、クライアントコンピュータ２）にメッセージデータを送信する送信先のクライアントコンピュータ2,3,4（図２では、クライアントコンピュータ４）を選択させる送信先選択ステップを実行している。
【００２９】
また、その後、サーバーコンピュータ１は、送信先選択ステップで選択された送信先のクライアントコンピュータ2,3,4（図２では、クライアントコンピュータ４）からの要求によって送信先のクライアントコンピュータ2,3,4（図２では、クライアントコンピュータ４）に対してメッセージデータを送信し、送信先以外のクライアントコンピュータ2,3,4（図２では、クライアントコンピュータ３）に対してはメッセージデータを送信しない選択送信ステップを実行している。
【００３０】
このように、サーバーコンピュータ１が送信先選択ステップと選択送信ステップとを実行することによって、上記ウェブログシステムでは、送信者が選択した特定の者（送信先）に対してメッセージデータを送信することができるので、送信者から見れば、送信先からメッセージデータに関連付けたコメントデータを受け取ることができるといった期待感を増大させることができ、受信者から見れば、送信されたメッセージデータに対してコメントデータを送信する必要性を強く認識させることができ、送信者と受信者との間でのコミュニケーションを円滑に行わせることができ、従来のウェブログシステムが持つ情報伝達手段としての機能に加えてコミュニケーション手段としての機能を付加することができる。
【００３１】
また、上記ウェブログシステムにおいてサーバーコンピュータ１は、各クライアントコンピュータ2,3,4に対して、各クライアントコンピュータ2,3,4から送信されたメッセージデータとそのメッセージデータに関連付けたコメントデータとを表示する送信側表示領域６の表示データと、各クライアントコンピュータ2,3,4に対して送信されたメッセージデータとそのメッセージデータに関連付けたコメントデータとを表示する受信側表示領域７の表示データとを転送して、各クライアントコンピュータ2,3,4のモニタ８上に送信側表示領域６と受信側表示領域７とに区画して表示させる区画表示ステップを実行している。
【００３２】
このように、サーバーコンピュータ１が区画表示ステップを実行することによって、上記ウェブログシステムでは、送信者としてのメッセージデータやコメントデータの表示と、受信者としてのメッセージデータやコメントデータの表示とを目視により容易に区別整理され、コミュニケーション手段としての機能を付加したウェブログシステムの使い勝手を向上させることができる。
【図面の簡単な説明】
【００３３】
【図１】ウェブログシステムの構成を示す説明図。
【図２】ウェブログシステムの流れを示す説明図。
【図３】ウェブログシステムでのモニタ上の表示を示す説明図。
【図４】ウェブログシステムでのモニタ上の表示を示す説明図。
【図５】ウェブログシステムでのモニタ上の表示を示す説明図。
【図６】ウェブログシステムでのモニタ上の表示を示す説明図。
【図７】ウェブログシステムでのモニタ上の表示を示す説明図。
【図８】ウェブログシステムでのモニタ上の表示を示す説明図。
【符号の説明】
【００３４】
１  サーバーコンピュータ
2,3,4  クライアントコンピュータ
５  電子通信回線網
６  送信側表示領域
７  受信側表示領域
８  モニタ
９  メッセージ入力領域
10  送信先選択ボタン
11  送信ボタン
12  コメント入力領域
13  送信ボタン
【図１】
0004531712.tif 000002
【図２】
0004531712.tif 000003
【図３】
0004531712.tif 000004
【図４】
0004531712.tif 000005
【図５】
0004531712.tif 000006
【図６】
0004531712.tif 000007
【図７】
0004531712.tif 000008
【図８】
0004531712.tif 000009